(57)【要約】【課題】外径の異なる複数種の消しゴムを保持することができる消しゴム取付構造を提供する。【解決手段】筆記具本体またはキャップ１に消しゴム取付用の取付孔２を設ける。取付孔２の内面に、底壁４と、該底壁４から開口側へ軸方向に延びる複数本のリブ３とを設ける。リブ３が、内接円径の大きい大径部３１と、該大径部３１よりも後方に形成した内接円径の小さい小径部３２と、該大径部３１と該小径部３２との間に形成した段部３３とからなる。比較的小さい外径を有する消しゴムは、その外側面が取付孔２のリブ３の小径部３２に径方向に圧接されると共に、その後端が取付孔２の底壁４に軸方向に当接される。比較的大きい外径を有する消しゴムは、その外側面が取付孔２のリブ３の大径部３１に径方向に圧接されると共に、その後端がリブ３の段部３３に軸方向に当接される。【選択図】　図１
2004034494.tif 000002
【特許請求の範囲】
【請求項１】
筆記具本体またはキャップに消しゴム取付用の取付孔を設け、前記取付孔の内面に、底壁と、該底壁から開口側へ軸方向に延びる複数本のリブとを設け、前記取付孔に消しゴムを圧入する消しゴム取付構造であって、前記リブが、取付孔の開口側に形成した内接円径の大きい大径部と、該大径部よりも後方に形成した内接円径の小さい小径部と、該大径部と該小径部との間に形成した段部とからなる消しゴム取付構造。
【請求項２】
前記段部の形状が、前方に向かうに従い次第に拡径する傾斜状である請求項１記載の消しゴム取付構造。
【発明の詳細な説明】
【０００１】
【発明の属する技術分野】
本発明は、消しゴム取付構造に関する。詳細には、筆記具本体またはキャップに設けた取付孔に消しゴムを圧入する消しゴム取付構造に関する。尚、本発明で、「前」とは、取付孔の開口側を指し、「後」とは、その反対側を指す。
【０００２】
【従来の技術】
従来、実用新案登録第２５７８２７３号公報には、取付孔の内面に複数本のリブを設け、前記リブにより消しゴムの外側面を径方向に圧接保持する消しゴム取付構造が開示されている。この構造は、リブの内接円径が一定であるため、外径の異なる他の消しゴムを保持することができない。そのため、前記リブの内接円径が特殊なサイズであると、消しゴムを新しいものに交換する際、一般に市販されている交換用消しゴムを取り付けることができず不便である。
【０００３】
また、従来、実用新案登録第２５７７３４２号には、取付孔の内面に複数の突起を設け、前記複数の突起が接触面積の大きい大突起と接触面積の小さい小突起とからなり、この小突起を大突起の設置範囲内に設置すると共に、小突起の形成する内接円径を大突起の形成する内接円径以下とした構造が開示されている。この構造は、複数種の棒状物を圧入固定できるとしても、弾力性を有する消しゴムと、弾力性のほとんど無い固形修正具等とが圧入固定できる構造であり、外径の異なる複数種の消しゴムを保持することはできない。
【０００４】
【発明が解決しようとする課題】
本発明は、前記従来の問題点を解決するものであって、外径の異なる複数種の消しゴムを保持することができる消しゴム取付構造を提供しようとするものである。
【０００５】
【課題を解決するための手段】
〔１〕本発明は、筆記具本体またはキャップ１に消しゴム取付用の取付孔２を設け、前記取付孔２の内面に、底壁４と、該底壁４から開口側へ軸方向に延びる複数本のリブ３とを設け、前記取付孔２に消しゴムを圧入する消しゴム取付構造であって、前記リブ３が、取付孔２の開口側に形成した内接円径の大きい大径部３１と、該大径部３１よりも後方に形成した内接円径の小さい小径部３２と、該大径部３１と該小径部３２との間に形成した段部３３とからなること（請求項１）を要件とする。
【０００６】
前記請求項１の消しゴム取付構造によれば、比較的小さい外径を有する消しゴム５・７は、少なくとも、その外側面が取付孔２のリブ３の小径部３２に径方向に圧接されると共に、その後端が取付孔２の底壁４に軸方向に当接され、また、比較的大きい外径を有する消しゴム６は、少なくとも、その外側面が取付孔２のリブ３の大径部３１に径方向に圧接されると共に、その後端がリブ３の段部３３に軸方向に当接される。即ち、一つの取付孔２に、異なる外径を有する複数種の消しゴム５・６・７を圧入保持させることが可能となる。
【０００７】
〔２〕前記請求項１の消しゴム取付構造において、前記段部３３の形状が、前方に向かうに従い次第に拡径する傾斜状であること（請求項２）が好ましい。
【０００８】
前記段部３３の形状が傾斜状であることにより、消しゴム５・７の後端が段部３３に引っ掛かることがなく、消しゴム５・７を取付孔２の小径部３２にスムーズに圧入することができる。
【０００９】
【発明の実施の形態】
本発明の実施の形態を図面に従って説明する。
【００１０】
図１乃至図３に本発明の消しゴム取付構造の取付孔２を示す。筆記具本体またはキャップ１は、合成樹脂の射出成形により形成され、その端部には取付孔２が形成される。前記取付孔２が形成される筆記具本体またはキャップ１の端部とは、具体的には、筆記具本体のペン先側に対して反対側の端部、または、キャップのペン先挿入側に対して反対側の端部である。
【００１１】
前記取付孔２の内面には、軸方向に延びる複数本（具体的には４本）のリブ３が等間隔に設けられる。前記リブ３は、前部に形成した内接円径の大きい大径部３１と、後部に形成した内接円径の小さい小径部３２と、該大径部３１と該小径部３２との間（即ち、小径部３２の前端）に形成した段部３３とを備える。前記段部３３は、前方に向かうに従って拡径する傾斜状となっている。また、前記リブ３の前端（即ち、大径部３１の前端）は、消しゴム５・６・７の圧入が円滑になるよう、前方に向かうに従って拡径する傾斜状に形成され、一方、前記リブ３の後端（即ち、小径部３２の後端）は、取付孔２の底壁４と連設される。前記リブ３の内接円径とは、リブ３の頂点に接する仮想内接円の直径である。具体的には、前記大径部３１の内接円径は、５．８ｍｍに設定され、前記小径部３２の内接円径は、５．０５ｍｍに設定されている。
【００１２】
本実施例のリブ３の横断面形状は、四角形であるが、これ以外にも、消しゴム外側面との摩擦抵抗を出来るがぎり小さくし且つ消しゴム外側面への食いつきを容易にするために、径方向内方端部が尖った形状（例えば、台形または三角形）にすることもできる。
【００１３】
本実施例の消しゴム取付構造は、以下の３種の消しゴム（第１の消しゴム５、第２の消しゴム６、及び第３の消しゴム７）を保持することができる。前記３種の消しゴム５・６・７は、いずれも、その基材が、例えば、天然ゴム、合成ゴム、ポリ塩化ビニル、または各種熱可塑性エラストマー等からなり、弾力性を備える。
【００１４】
〔第１の消しゴム〕
図４乃至図６に、第１の消しゴム５が、図１に示す取付孔２に圧入保持された状態を示す。前記第１の消しゴム５は、円柱状であり、比較的小さい外径（具体的には、６．１ｍｍ）を備える。即ち、前記第１の消しゴム５の外径は、小径部３２の内接円径及び大径部３１の内接円径よりも大きい。また、前記第１の消しゴム５の軸方向の全長は、取付孔２の開口端から底壁４までの軸方向の長さよりも長い。
【００１５】
それにより、前記第１の消しゴム５は、取付孔２に圧入保持された際、その後部外側面が、リブ３の小径部３２により径方向内方に大きく変形されて圧接保持され、その前部外側面が、リブ３の大径部３１により径方向内方に小さく変形されて圧接保持され、さらに、その後端が、取付孔２の底壁４により軸方向に当接支持される。前記圧入保持した第１の消しゴム５の前端部は、取付孔２の開口端より前方に突出される。
【００１６】
〔第２の消しゴム〕
図７及び図８に、第２の消しゴム６が、図１に示す取付孔２に圧入保持された状態を示す。前記第２の消しゴム６は、円柱状であり、比較的大きい外径（具体的には、６．８ｍｍ）を備える。即ち、前記第２の消しゴム６の外径は、大径部３１の内接円径よりも大きい。また、前記第２の消しゴム６の軸方向の全長は、取付孔２の開口端から段部３３までの軸方向の長さよりも長い。
【００１７】
それにより、前記第２の消しゴム６は、取付孔２に圧入保持された際、その後部外側面が、リブ３の大径部３１により径方向内方に変形されて圧接保持され、その後端が、大径部３１と小径部３２との間の傾斜状の段部３３により軸方向に当接支持される。前記圧入保持した第２の消しゴム６の前端部は、取付孔２の開口端より前方に突出される。
【００１８】
〔第３の消しゴム〕
図９乃至図１１に、第３の消しゴム７が、図１に示す取付孔２に圧入保持されたた状態を示す。前記第３の消しゴム７は、円柱状の消しゴム本体７１と、該消しゴム本体７１の中間部外周面を保持する金属製筒体よりなる消しゴムカバー７２とからなる。前記消しゴムカバー７２の外径は、５．９ｍｍに設定され、前記消しゴムカバー７２より前方及び後方に突出する消しゴム本体７１の外径は、５．６５ｍｍに設定される。即ち、前記第３の消しゴム７の消しゴム本体７１の外径は、小径部３２の内接円径よりも大きく、前記消しゴムカバー７２の外径は、大径部３１の内接円径よりも僅かに大きい。また、前記第３の消しゴム７の軸方向の全長は、取付孔２の開口端から底壁４までの軸方向の長さよりも長い。
【００１９】
それにより、前記第３の消しゴム７は、取付孔２に圧入保持された際、消しゴムカバー７２より後方に突出する消しゴム本体７１の外側面が、小径部３２により径方向内方に変形されて圧接保持され、その消しゴム本体７１の後端が、取付孔２の底壁４により軸方向に当接支持され、さらに、消しゴムカバー７２の外側面が、大径部３１により径方向に圧接保持される。前記圧入保持した第３の消しゴム７の消しゴム本体７１の前端部は、取付孔２の開口端より前方に突出される。
【００２０】
【発明の効果】
請求項１により、外径の異なる複数種の消しゴムを保持することができる。
【００２１】
請求項２により、消しゴム後端が段部に引っ掛かることがなく、消しゴムを取付孔の小径部にスムーズに圧入することができる。
【図面の簡単な説明】
【図１】本発明の実施例の取付孔を示す縦断面図である。
【図２】図１のＡ−Ａ線断面図である。
【図３】図１のＢ−Ｂ線断面図である。
【図４】図１の取付孔に第１の消しゴムを圧入保持した状態を示す縦断面図である。
【図５】図４のＣ−Ｃ線断面図である。
【図６】図４のＤ−Ｄ線断面図である。
【図７】図１の取付孔に第２の消しゴムを圧入保持した状態を示す縦断面図である。
【図８】図７のＥ−Ｅ線断面図である。
【図９】図１の取付孔に第３の消しゴムを圧入保持した状態を示す縦断面図である。
【図１０】図９のＦ−Ｆ線断面図である。
【図１１】図９のＧ−Ｇ線断面図である。
【符号の説明】
１　筆記具本体またはキャップ
２　取付孔
３　リブ
３１　大径部
３２　小径部
３３　段部
４　底壁
５　第１の消しゴム
６　第２の消しゴム
７　第３の消しゴム
７１　消しゴム本体
７２　消しゴムカバー
【図１】
2004034494.tif 000003
【図２】
2004034494.tif 000004
【図３】
2004034494.tif 000005
【図４】
2004034494.tif 000006
【図５】
2004034494.tif 000007
【図６】
2004034494.tif 000008
【図７】
2004034494.tif 000009
【図８】
2004034494.tif 000010
【図９】
2004034494.tif 000011
【図１０】
2004034494.tif 000012
【図１１】
2004034494.tif 000013